(57)【特許請求の範囲】
【請求項１】
尿検体の有形成分を分析するための分析装置であって、
検体の画像を取得するための画像取得手段と、
前記画像取得手段によって取得された画像から１種類以上の有形成分のそれぞれを検出するための検出手段と、
少なくとも１種類の有形成分のそれぞれに関連付けて、当該有形成分の検出結果についての範囲と他の有形成分の種類とを記憶するための記憶手段とを備え、
前記検出手段は、第１の有形成分の検出の結果が前記範囲に含まれる場合に、前記第１の有形成分に関連付けられて記憶された第２の有形成分を特定する情報を出力するように構成されている、分析装置。
【請求項２】
前記情報は、前記検体について前記画像取得手段によって取得された画像へのリンクを含む、請求項１に記載の分析装置。
【請求項３】
尿検体の有形成分を分析するための分析装置であって、
検体の画像を取得するための画像取得手段と、
前記画像取得手段によって取得された画像から１種類以上の有形成分のそれぞれを検出するための検出手段と、
前記検体の１種類以上の項目の定性分析の結果の入力を受け付けるように構成された入力手段と、
少なくとも１種類の有形成分のそれぞれに関連付けて、当該有形成分の検出結果についての範囲と定性分析における１種類以上の項目についての分析結果についての条件とを記憶するための記憶手段とを備え、
前記検出手段は、第１の有形成分の検出の結果が前記範囲に含まれ、かつ、前記検体において前記第１の有形成分に関連付けられた定性分析の項目の検出結果が前記条件を満たすときに、前記検体について前記画像取得手段によって取得された画像へのリンクを含む情報を出力するように構成されている、分析装置。
【請求項４】
前記情報は、前記検体について前記画像取得手段によって取得された画像のうち、前記第１の有形成分を含む画像へのリンクを含む、請求項３に記載の分析装置。
【請求項５】
前記検出手段は、前記画像取得手段によって取得された画像を前記記憶手段に格納するように構成されている、請求項１〜請求項４のいずれか１項に記載の分析装置。
【請求項６】
尿検体の有形成分を分析するための分析装置によって実行される分析方法であって、
前記分析装置は、少なくとも１種類の有形成分のそれぞれに関連付けて、当該有形成分の検出結果についての範囲と他の有形成分の種類とを記憶するための記憶手段を備え、
前記分析方法は、
検体の画像を取得するステップと、
取得された前記画像から１種類以上の有形成分のそれぞれを検出するステップと、
第１の有形成分の検出の結果が前記範囲に含まれる場合に、前記記憶手段において前記第１の有形成分に関連付けられて記憶された第２の有形成分を特定する情報を出力するステップとを含む、分析方法。
【請求項７】
尿検体の有形成分を分析するための分析装置によって実行される分析方法であって、
前記分析装置は、少なくとも１種類の有形成分のそれぞれに関連付けて、当該有形成分の検出結果についての範囲と定性分析における１種類以上の項目についての分析結果についての条件とを記憶するための記憶手段を備え、
前記分析方法は、
検体の画像を取得するステップと、
取得された前記画像から１種類以上の有形成分のそれぞれを検出するステップと、
前記検体の１種類以上の項目の定性分析の結果の入力を受け付けるステップと、
第１の有形成分の検出の結果が前記範囲に含まれ、かつ、前記検体において前記第１の有形成分に関連付けられた定性分析の項目の検出結果が前記条件を満たすときに、前記検体について取得された前記画像へのリンクを含む情報を出力するステップとを含む、分析方法。
【請求項８】
尿検体の定性分析を実行するための第１の分析装置と、
尿検体の有形成分を分析するための第２の分析装置とを備え、
前記第１の分析装置は、
前記第２の分析装置に、検体の定性分析の結果を出力するための出力手段を含み、
前記第２の分析装置は、
検体の画像を取得するための画像取得手段と、
前記画像取得手段によって取得された画像から１種類以上の有形成分のそれぞれを検出するための検出手段と、
前記第１の分析装置から、前記検体の定性分析の結果の入力を受け付ける入力手段と、
少なくとも１種類の有形成分のそれぞれに関連付けて、当該有形成分の検出結果についての範囲と、定性分析における１種類以上の項目についての分析結果についての条件とを記憶するための記憶手段とを含み、
前記検出手段は、第１の有形成分の検出の結果が前記範囲に含まれ、かつ、前記検体についての定性分析の検出結果が前記条件を満たすときに、前記検体について前記画像取得手段によって取得された画像へのリンクを含む情報を出力するように構成されている、分析システム。
【発明の詳細な説明】
【技術分野】
【０００１】
本開示は、分析装置、分析方法、および、分析システムに関し、特に、尿検体の有形成分を分析するための分析装置、分析方法、および、分析システムに関する。
【背景技術】
【０００２】
従来、尿検査において、検体の成分を分析する装置が提案されている。たとえば、特開平１０−１８５８０３号公報（特許文献１）は、検体の画像を自動的に撮影し、当該画像を用いて、検体中の有形成分を分析する装置を開示している。
【先行技術文献】
【特許文献】
【０００３】
【特許文献１】特開平１０−１８５８０３号公報
【発明の概要】
【発明が解決しようとする課題】
【０００４】
しかしながら、従来の分析装置では、有形成分ごとに画一的な基準に基づいて判断がなされていた。当該装置において取得された値によって検査結果を確定できない場合、検体は、再検査の対象とされた。再検査としては作業員の手作業による検査（用手検査）が行われることが多い。用手検査は、時間を要するだけでなく検査員の労力も要する。このことから、尿検査では、極力再検査の対象とされる検体の数を減らすことが求められている。
【０００５】
本開示は、係る実情に鑑み考え出されたものであり、その目的は、再検査の対象となる検体の数を低減することである。
【課題を解決するための手段】
【０００６】
本開示のある局面に従うと、尿検体の有形成分を分析するための分析装置が提供される。分析装置は、検体の画像を取得するための画像取得手段と、画像取得手段によって取得された画像から１種類以上の有形成分のそれぞれを検出するための検出手段と、少なくとも１種類の有形成分のそれぞれに関連付けて、当該有形成分の検出結果についての範囲と他の有形成分の種類とを記憶するための記憶手段とを備える。検出手段は、第１の有形成分の検出の結果が範囲に含まれる場合に、第１の有形成分に関連付けられて記憶された第２の有形成分を特定する情報を出力するように構成されている。
【０００７】
好ましくは、情報は、検体について画像取得手段によって取得された画像へのリンクを含む。
【０００８】
本開示の他の局面に従うと、尿検体の有形成分を分析するための分析装置が提供される。分析装置は、検体の画像を取得するための画像取得手段と、画像取得手段によって取得された画像から１種類以上の有形成分のそれぞれを検出するための検出手段と、少なくとも１種類の有形成分のそれぞれに関連付けて、当該有形成分の検出結果についての範囲を記憶するための記憶手段とを備える。検出手段は、第１の有形成分の検出の結果が範囲に含まれる場合に、検体について画像取得手段によって取得された画像へのリンクを含む情報を出力するように構成されている。
【０００９】
本開示のさらに他の局面に従うと、尿検体の有形成分を分析するための分析装置が提供される。分析装置は、検体の画像を取得するための画像取得手段と、画像取得手段によって取得された画像から１種類以上の有形成分のそれぞれを検出するための検出手段と、検体の１種類以上の項目の定性分析の結果の入力を受け付けるように構成された入力手段と、少なくとも１種類の有形成分のそれぞれに関連付けて、当該有形成分の検出結果についての範囲と定性分析における１種類以上の項目についての分析結果についての条件とを記憶するための記憶手段とを備える。検出手段は、第１の有形成分の検出の結果が範囲に含まれ、かつ、検体において第１の有形成分に関連付けられた定性分析の項目の検出結果が条件を満たすときに、検体について画像取得手段によって取得された画像へのリンクを含む情報を出力するように構成されている。
【００１０】
好ましくは、情報は、検体について画像取得手段によって取得された画像のうち、第１の有形成分を含む画像へのリンクを含む。
【００１１】
好ましくは、検出手段は、画像取得手段によって取得された画像を記憶手段に格納するように構成されている。
【００１２】
本開示のさらに他の局面に従うと、尿検体の有形成分を分析するための分析装置によって実行される分析方法が提供される。分析装置は、少なくとも１種類の有形成分のそれぞれに関連付けて、当該有形成分の検出結果についての範囲と他の有形成分の種類とを記憶するための記憶手段を備える。分析方法は、検体の画像を取得するステップと、取得された画像から１種類以上の有形成分のそれぞれを検出するステップと、第１の有形成分の検出の結果が範囲に含まれる場合に、記憶手段において第１の有形成分に関連付けられて記憶された第２の有形成分を特定する情報を出力するステップとを含む。
【００１３】
本開示のさらに他の局面に従うと、尿検体の有形成分を分析するための分析装置によって実行される分析方法が提供される。分析装置は、少なくとも１種類の有形成分のそれぞれに関連付けて、当該有形成分の検出結果についての範囲を記憶するための記憶手段を備える。分析方法は、検体の画像を取得するステップと、取得された画像から１種類以上の有形成分のそれぞれを検出するステップと、第１の有形成分の検出の結果が範囲に含まれる場合に、検体について取得された画像へのリンクを含む情報を出力するステップとを含む。
【００１４】
本開示のさらに他の局面に従うと、尿検体の有形成分を分析するための分析装置によって実行される分析方法が提要される。分析装置は、少なくとも１種類の有形成分のそれぞれに関連付けて、当該有形成分の検出結果についての範囲と定性分析における１種類以上の項目についての分析結果についての条件とを記憶するための記憶手段を備える。分析方法は、検体の画像を取得するステップと、取得された画像から１種類以上の有形成分のそれぞれを検出するステップと、検体の１種類以上の項目の定性分析の結果の入力を受け付けるステップと、第１の有形成分の検出の結果が範囲に含まれ、かつ、検体において第１の有形成分に関連付けられた定性分析の項目の検出結果が条件を満たすときに、検体について取得された画像へのリンクを含む情報を出力するステップとを含む。
【００１５】
本開示のさらに他の局面に従うと、尿検体の定性分析を実行するための第１の分析装置と、尿検体の有形成分を分析するための第２の分析装置とを備える分析システムが提供される。第１の分析装置は、第２の分析装置に、検体の定性分析の結果を出力するための出力手段を含む。第２の分析装置は、検体の画像を取得するための画像取得手段と、画像取得手段によって取得された画像から１種類以上の有形成分のそれぞれを検出するための検出手段と、第１の分析装置から、検体の定性分析の結果の入力を受け付ける入力手段と、少なくとも１種類の有形成分のそれぞれに関連付けて、当該有形成分の検出結果についての範囲と、定性分析における１種類以上の項目についての分析結果についての条件とを記憶するための記憶手段とを含む。検出手段は、第１の有形成分の検出の結果が範囲に含まれ、かつ、検体についての定性分析の検出結果が条件を満たすときに、検体について画像取得手段によって取得された画像へのリンクを含む情報を出力するように構成されている。
【発明の効果】
【００１６】
本開示のある局面によれば、第１の有形成分の検出結果が異常値を示した場合、当該第１の有形成分に関連付けられた第２の有形成分の検出結果のチェックが促される。これにより、分析装置による分析結果において、第１の有形成分についての検出結果が効果的に精査される。当該精査の結果、検体の再検査が不要であると判断される場合があり得る。したがって、再検査の対象となる検体の数が低減され得る。
【００１７】
本発明の他の局面によれば、第１の有形成分についての検出結果が異常値を示した場合、当該第１の有形成分についての検出結果についての画像を用いたチェックが促される。これにより、分析装置による分析結果において、第１の有形成分についての検出結果が効果的に精査される。当該精査の結果、検体の再検査が不要であると判断される場合があり得る。したがって、再検査の対象となる検体の数が低減され得る。
【００１８】
本発明のさらに他の局面によれば、第１の有形成分の検出結果が異常値を示した場合、当該第１の有形成分に関連付けられた定性分析における項目の検出結果が所定の条件を満たしたときに、当該第１の有形成分についての検出結果についての画像を用いたチェックが促される。これにより、分析装置による分析結果において、第１の有形成分についての検出結果が効果的に精査される。当該精査の結果、検体の再検査が不要であると判断される場合があり得る。したがって、再検査の対象となる検体の数が低減され得る。
【図面の簡単な説明】
【００１９】
【図１】第１の実施の形態の分析システムにおける有形成分分析装置の機能を概略的に説明するための図である。
【図２】第１の実施の形態の分析システムにおける有形成分分析装置の機能を概略的に説明するための図である。
【図３】第１の実施の形態の分析システムにおける有形成分分析装置の機能を概略的に説明するための図である。
【図４】第１の実施の形態の分析システムにおける有形成分分析装置の機能を概略的に説明するための図である。
【図５】第１の実施の形態の分析システムの全体構成を示す図である。
【図６】第１の実施の形態の分析システムのハードウェア構成を説明するための図である。
【図７】有形成分ごとに、当該有形成分または当該有形成分に関連付けられた有形成分について、情報を出力するか否かの判断基準と出力される情報の一例を模式的に示す図である。
【図８】第１の実施の形態の分析装置において、有形成分分析において検出された有形成分に関する情報を出力するために実行される処理のフローチャートである。
【図９】検体の有形成分分析の結果の簡易的な表示画面の一例を示す図である。
【図１０】検体の有形成分分析の結果の詳細な表示画面の一例を示す図である。
【図１１】第２の実施の形態の分析システムにおける有形成分分析装置の機能を概略的に説明するための図である。
【図１２】第２の実施の形態の分析システムにおける有形成分分析装置の機能を概略的に説明するための図である。
【図１３】第２の実施の形態の分析システムの全体構成を示す図である。
【図１４】第２の実施の形態の分析システムのハードウェア構成を説明するための図である。
【図１５】第２の実施の形態の分析装置において利用される、判断基準と出力される情報の一例を模式的に示す図である。
【図１６】第２の実施の形態の分析装置において、有形成分分析において検出された有形成分に関する情報を出力するために実行される処理のフローチャートである。
【発明を実施するための形態】
【００２０】
以下に、図面を参照しつつ、尿検体（以下、単に「検体」ともいう）の分析装置および分析システムの実施の形態について説明する。以下の説明では、同一の部品および構成要素には同一の符号が付され、それらの名称および機能は同じである。したがって、これらの説明は繰り返されない。
【００２１】
［第１の実施の形態］
＜１．概要＞
図１〜図４は、第１の実施の形態の分析システムにおける有形成分分析装置の機能を概略的に説明するための図である。第１の実施の形態の分析システムにおいて、有形成分分析装置は、図１と図３に示された少なくとも２つの機能を有する。
【００２２】
１つ目は、図１に示されるように、尿検体の画像を撮影し、当該画像に基づいて尿検体に対して有形成分分析を実行し、特定の成分が検出されたときに、分析装置の使用者にアクションを促すための処理を実行することである。たとえば、有形成分分析装置は、図２に示されるように、検体から異型細胞が検出された場合、使用者に異型細胞の詳細な確認を促すために、当該検体の画像へのリンクを含む情報を出力する。
【００２３】
２つ目は、図３に示されるように、尿検体の画像を撮影し、当該画像に基づいて尿検体を分析し、特定の成分が検出されたとき、当該特定の成分に関連付けられた成分の検出結果が特定の条件を満たすことを条件として、使用者にアクションを促すための処理を実行することである。たとえば、有形成分分析装置は、図４に示されるように、検体から白血球が検出された場合、検体において上皮細胞の有無を確認する。上皮細胞は、白血球に関連付けられた有形成分の１つである。その後、有形成分分析装置は、検体において上皮細胞が検出されなければ、使用者に対して、検体において上皮細胞を探すことを促すために、当該検体の画像へのリンクを含む情報を出力する。白血球とともに検出されることが多い上皮細胞が、他の成分と誤認されたために検出されなかった可能性が高いからである。
【００２４】
以上のように、第１の実施の形態の有形成分分析装置は、検体の有形成分分析の結果において、少なくとも１種類の有形成分の結果が当該有形成分について設定された条件を満たす場合、当該有形成分に関する情報を出力する。出力された情報により、有形成分分析装置の使用者は、検体を再検査の対象とする前に、分析の結果を確認する。当該確認において再検査が不要であると判断されれば、当該検体については、再検査がなされることなく、有形成分の分析結果が確定される。再検査では、多くの場合、用手検査が実行される。本実施の形態では、再検査の対象とされる検体の数を減らすことができ、これにより、用手検査の対象となる検体の数を減らすことができる。
【００２５】
＜２．分析システムの構成＞
図５は、第１の実施の形態の分析システムの全体構成を示す図である。
【００２６】
図５に示されるように、分析システム１は、分析装置２０と、情報処理装置４０とを含む。分析装置２０と情報処理装置４０とは、通信可能である。分析装置２０は、有形成分分析装置の一例であり、有形成分の分析結果を情報処理装置４０へ出力する。情報処理装置４０は、分析装置２０から出力された分析結果を表示する。
【００２７】
分析装置２０は、本体２０Ａと、搬送部２０Ｂとを含む。本体２０Ａは、後述する制御部２１０、試料調製部２２２、等を収容する。
【００２８】
搬送部２０Ｂは、検体を収容する容器（スピッツ）を搬送する。より具体的には、分析システム１において、各検体は、容器４に収容される。ラック７は、１本以上の容器４を収容する。搬送部２０Ｂは、溝２５０を含む。搬送部２０Ｂでは、１本以上の容器４が、ラック７に収容された状態で搬送される。
【００２９】
本体２０Ａには、バーコードリーダ２２４が設けられている。各容器４には、各検体を識別するためのバーコードが付されている。分析装置２０は、容器４のそれぞれのバーコードをバーコードリーダ２２４で読み取ることにより、検査対象の検体のそれぞれを識別する。
【００３０】
図５を参照して説明された容器４の搬送態様は、単なる一例である。分析装置２０において、容器４は、ラック７に収容されることなく単独で搬送されてもよい。
【００３１】
＜３．ハードウェア構成＞
図６は、第１の実施の形態の分析システム１のハードウェア構成を説明するための図である。
【００３２】
まず、分析装置２０のハードウェア構成を説明する。
分析装置２０は、制御部２１０と、通信部２２１と、試料調製部２２２と、撮影部２２３と、バーコードリーダ２２４を含む。制御部２１０は、ＣＰＵ（Central  Processing  Unit）２１１と記憶部２１２とを有する。ＣＰＵ２１１は、記憶部２１２に記憶されているコンピュータプログラムを実行すると共に、分析装置２０の各部を制御する。記憶部２１２は、ＲＯＭ、ＲＡＭ、ハードディスク等の記憶装置を含む。
【００３３】
通信部２２１は、制御部２１０からのデータを他の機器に送信し、他の機器からの情報を制御部２１０に入力する。通信部２２１は、たとえばネットワークインタフェースカードによって実現される。
【００３４】
試料調製部２２２は、容器４内の検体と測定に必要な試薬とを混合攪拌することにより、分析に必要な試料を調製する。
【００３５】
撮影部２２３は、試料調製部２２２によって調製された試料の画像を撮影する。撮影部２２３は、自動ピント合わせの機構を有する。これにより、試料調製部２２２で調整された試料は、撮影部２２３によって自動的に撮影される。撮影部２２３は、撮影された画像を、制御部２１０へ出力する。
【００３６】
バーコードリーダ２２４は、容器４に付されたバーコードを読み、読み出した情報を制御部２１０へ出力する。
【００３７】
ＣＰＵ２１１は、撮影された画像を用いて、有形成分分析を実行する。有形成分分析において、たとえば、ＣＰＵ２１１は、検体の画像において予め記憶された有形成分の画像パターンが含まれるか否かを判断する。その後、ＣＰＵ２１１は、検体の画像が有形成分の画像パターンを含むと判断すると、画像における当該有形成分の個数を計数し、当該個数を出力する。撮影部２２３は、１つの検体に対して、複数枚の画像を撮影し、制御部２１０へ出力してもよい。ＣＰＵ２１１は、１つの検体に対する複数の画像のうち、有形成分の画像パターンを含む画像を、検体ごとに、当該有形成分に関連付けて、記憶部２１２に記憶してもよい。
【００３８】
次に、情報処理装置４０のハードウェア構成を説明する。
情報処理装置４０は、制御部４１０と、通信部４２０とを含む。制御部４１０は、たとえば汎用のコンピュータによって実現され、ＣＰＵ４１１と、記憶部４１２と、キーボード４１３と、マウス４１４と、モニタ４１５とを有する。ＣＰＵ４１１は、通信部４２０を介して、分析装置２０等の外部の機器と通信する。通信部４２０は、たとえばネットワークインタフェースカードからなる。
【００３９】
ＣＰＵ４１１は、記憶部４１２に記憶されているコンピュータプログラムを実行し、キーボード４１３およびマウス４１４から情報の入力を受け付け、モニタ４１５に情報を出力する。ＣＰＵ４１１は、分析装置２０から入力されたデータを、モニタ４１５に表示することができる。
【００４０】
＜４．判断基準と出力される情報＞
図７は、有形成分ごとに、当該有形成分または当該有形成分に関連付けられた有形成分について、情報を出力するか否かの判断基準と出力される情報の一例を模式的に示す図である。図７に示されたような基準を特定する情報は、たとえば、分析装置２０の記憶部２１２（図６参照）に格納される。ただし、当該情報は、分析装置２０のＣＰＵ２１１がアクセス可能な記憶装置であれば、記憶部２１２以外に格納されていてもよい。
【００４１】
図７に示されるように、判断基準および出力される情報は、１つ以上の群を含む。各群には、ＩＤが割り振られている。図７では、ＩＤ＝１〜４の群の具体例が示されている。
【００４２】
各群は、６つの項目（第１類項目、第１類項目用条件、第２類項目、第２類項目用条件、第１警告、および、第２警告）を含む。第１類項目は、検体の有形成分分析において最初に判断対象となる有形成分を特定する。第１類項目用条件は、第１類項目に対する検出結果の条件を特定する。第２類項目は、第１類項目で特定される有形成分に関連付けられた有形成分を特定する。第２類項目用条件は、第２類項目に対する検出結果の条件を特定する。第１警告は、有形成分分析の結果を簡易的に表示する画面において表示される警告の内容を特定する。第２警告は、有形成分分析の結果を詳細に表示する画面において表示される警告の内容を特定する。
【００４３】
たとえば、ＩＤ＝１の群では、第１類項目が「白血球」であり、第１類項目用条件が「１個／視野以上」であり、第２類項目が「上皮細胞」であり、第２類項目用条件が「０個／視野以下」であり、第１警告が「上皮細胞チェック」であり、第２警告が「上皮細胞の内容を…可能性があります。）」である。「視野」とは、検体の画像が撮影されるときの視野である。ＩＤ＝１の群によれば、有形成分分析において、白血球が検出された場合であって、上皮細胞が検出されなかった場合には、検体における上皮細胞の存在の確認を促すメッセージが表示される。
【００４４】
ＩＤ＝２の群では、第１類項目が「細菌」であり、第１類項目用条件が「１個／視野以上」であり、第２類項目が「白血球」であり、第２類項目用条件が「０個／視野以下」であり、第１警告が「細菌チェック」であり、第２警告が「他の成分が…確認してください。」である。ＩＤ＝２の群によれば、有形成分分析において、細菌が検出された場合であって、白血球が検出されなかった場合には、細菌として検出されたものの内容の詳細な確認を促すメッセージが表示される。
【００４５】
ＩＤ＝３の群では、第１類項目が「異型細胞」であり、第１類項目用条件が「１個／視野以上」であり、第２類項目および第２類項目用条件についてはデータが無く、第１警告が「異型細胞チェック」であり、第２警告が「異型細胞が、検出されています。異型細胞の内容を詳細に確認してください。」である。ＩＤ＝３の群によれば、有形成分分析において、「異型細胞」が検出された場合には、当該異型細胞として検出されたものの内容の詳細な確認を促すメッセージが表示される。
【００４６】
ＩＤ＝４の群では、第１類項目が「結晶」であり、第１類項目用条件が「１個／視野以上」であり、第２類項目および第２類項目用条件についてはデータが無く、第１警告が「結晶チェック」であり、第２警告が「結晶が、検出されています。結晶の内容を詳細に確認してください。」である。ＩＤ＝４の群によれば、有形成分分析において、「結晶」が検出された場合には、当該結晶として検出されたものの内容の詳細な確認を促すメッセージが表示される。
【００４７】
＜５．処理の流れ＞
図８は、第１の実施の形態の分析装置２０において、有形成分分析において検出された有形成分に関する情報を出力するために実行される処理のフローチャートである。図８の処理は、たとえば、検体ごとに、撮影部２２３から制御部２１０へ、当該検体の画像が入力されたことに応じて、実行される。
【００４８】
図８に示されるように、ステップＳ１０で、ＣＰＵ２１１は、図８の処理で使用される変数Ｎの値を０へと初期化して、ステップＳ２０へ制御を進める。変数Ｎは、図７の「判断基準および出力される情報の群」のうち、図８の処理において制御の対象となる群に付されたＩＤを特定する。
【００４９】
ステップＳ２０で、ＣＰＵ２１１は、検体の画像を用いて、当該検体の有形成分分析の結果を生成し、ステップＳ３０へ制御を進める。
【００５０】
ステップＳ３０で、ＣＰＵ２１１は、変数Ｎを１加算更新して、ステップＳ４０へ制御を進める。
【００５１】
ステップＳ４０で、ＣＰＵ２１１は、図７に示されたような情報における、Ｎ番目の群の第１類項目として特定される有形成分について、有形成分分析の結果が第１類項目用条件を満たすか否かを判断する。たとえば、図７のＩＤ＝１の群については、有形成分分析の結果において、白血球が１視野において１個以上検出されたか否かが判断される。ＣＰＵ２１１は、第１類項目の有形成分の有形成分分析の結果が第１類項目用条件を満たすと判断すると（ステップＳ４０でＹＥＳ）、ステップＳ５０へ制御を進め、第１類項目の有形成分の有形成分分析の結果が第１類項目用条件を満たさないと判断すると（ステップＳ４０でＮＯ）、ステップＳ７０へ制御を進める。
【００５２】
ステップＳ５０で、ＣＰＵ２１１は、第２類項目の有形成分の有形成分分析の結果が第２類項目用条件を満たすか否かを判断する。たとえば、図７におけるＩＤ＝１の群については、有形成分分析の結果において、上皮細胞が１視野における個数が０個以下であるか否か（つまり、上皮細胞が検出されなかったか否か）が判断される。ＣＰＵ２１１は、第２類項目の有形成分の有形成分分析の結果が第２類項目用条件を満たすと判断すると（ステップＳ５０でＹＥＳ）、ステップＳ６０へ制御を進め、第２類項目の有形成分の有形成分分析の結果が第２類項目用条件を満たさないと判断すると（ステップＳ５０でＮＯ）、ステップＳ７０へ制御を進める。
【００５３】
ステップＳ６０で、ＣＰＵ２１１は、表示用情報に、図７におけるＮ番目の群の第１警告をセットして、ステップＳ７０へ制御を進める。表示用情報とは、図９を参照して後述するように、各検体の有形成分分析の結果の簡易的な表示を構成する情報である。
【００５４】
ステップＳ７０で、ＣＰＵ２１１は、変数Ｎが、図７に示されたような情報において記憶されている群の数である値Ｍを超えたか否かを判断する。ＣＰＵ２１１は、変数Ｎがまだ値Ｍを超を超えていないと判断すると（ステップＳ７０でＮＯ）、ステップＳ３０へ制御を戻し、変数Ｎが値Ｍを超えたと判断すると（ステップＳ７０でＹＥＳ）、ステップＳ８０へ制御を進める。
【００５５】
値Ｍは、図７の「判断基準および出力される情報の群」の総数である。図７の例では、値Ｍは「４」である。
【００５６】
図８の処理では、ステップＳ３０で変数Ｎが１ずつ加算更新される。ステップＳ４０からステップＳ６０までの制御は、変数Ｎが値Ｍを超えるまで実行される。変数Ｎは、図７の群のＩＤを特定する。つまり、図８の処理では、ステップＳ４０からステップＳ６０までの制御は、図７の群の「ＩＤ＝１」から「ＩＤ＝Ｍ」のそれぞれについて実行される。
【００５７】
なお、図８のステップＳ４０からステップＳ６０までの制御は、図７に示されたような群のすべてについて実行される必要はなく、たとえば使用者によって選択されたＩＤについてのみ、実行されてもよい。
【００５８】
ＣＰＵ２１１は、第２類項目および第２類項目用条件を設定されていない群については、ステップＳ５０に制御が進んだ場合、ステップＳ５０からステップＳ６０へ制御を進める。つまり、図７の例では、ＣＰＵ２１１は、ＩＤ＝３またはＩＤ＝４の群について、第１類項目について第１類項目用条件が満たされたと判断されると、ステップＳ６０へ制御を進める。
【００５９】
ステップＳ８０で、ＣＰＵ２１１は、有形成分分析の結果と表示用情報とを簡易的に表示する。たとえば、ＣＰＵ２１１は、処理対象の検体について、有形成分分析の結果と表示用情報とを情報処理装置４０へ出力する。これにより、情報処理装置４０は、有形成分分析の結果を簡易的にモニタ４１５へ表示する。有形成分分析の結果の表示については、図９および図１０を参照して後述する。その後、制御はステップＳ９０へ進む。
【００６０】
ステップＳ９０で、ＣＰＵ２１１は、処理対象の検体の画像が要求されたか否かを判断する。第１の実施の形態では、たとえば有形成分分析の結果の簡易的な表示に対する特定の操作が、当該有形成分分析において利用された画像の要求の一例である。ＣＰＵ２１１は、画像が要求されたと判断するまでステップＳ９０に制御を留め（ステップＳ９０でＮＯ）、画像が要求されたと判断すると（ステップＳ９０でＹＥＳ）、ステップＳ１００へ制御を進める。
【００６１】
ステップＳ１００で、ＣＰＵ２１１は、検体の画像と第２警告とを表示する。たとえば、ＣＰＵ２１１は、処理対象の検体について、有形成分分析に利用された画像とステップＳ８０で表示された第１警告と同じ群に属する第２警告とを情報処理装置４０へ出力する。これにより、情報処理装置４０は、有形成分分析の結果を詳細にモニタ４１５へ表示する。その後、図８の処理が終了する。
【００６２】
以上説明された図８の処理では、ステップＳ４０〜ステップＳ６０の制御は、図７の群の「ＩＤ＝１」から「ＩＤ＝Ｍ」まで順に実行された。ステップＳ４０〜ステップＳ６０の制御は、図７におけるＩＤの順に実行されなくてもよい。図７における複数の群の間で、たとえば臨床的な意義に基づいて、優先順位を設定されていてもよい。ステップＳ４０〜ステップＳ６０の制御は、臨床的な意義が高いＩＤから順に実行されてもよい。当該実行において１回でもステップＳ６０の制御が実行されれば、それ以降は、他のＩＤについてステップＳ４０〜ステップＳ６０の制御が実行されることなくステップＳ８０へ制御が進められてもよい。
【００６３】
＜６．表示画面の例＞
図９の画面９００は、複数の検体のそれぞれの有形成分の分析結果を示すテーブル９０１を含む。テーブルは、各行に、各検体についての複数個の項目のデータを表示する。複数個の項目は、形式的な項目と、分析項目と、状況を表わす項目とを含むことができる。形式的な項目は、たとえば、検体ＩＤ、シーケンス番号（Ｓｅｑ．Ｎｏ．）、ラック７における位置（Ｐｏｓ）、受付番号、患者名、検体種別および／または性別である。分析項目は、たとえば、赤血球、白血球、上皮細胞、円柱、および／または、細菌のそれぞれの測定結果を示す。
【００６４】
状況を表わす項目は、各検体の分析の進行状況を示す。状況を表わす項目として表示される情報は、たとえば、「自動確定」、「要確認」、および、「確定［修正済み］」を含む。「自動確定」は、分析装置２０における有形成分分析において全ての有形成分の測定結果が基準範囲内であると判断された検体について表示される。たとえば、有形成分分析におけるすべての有形成分の結果が、図７に示された基準におけるいずれの群の第１類項目に関連付けられた条件にも該当しなかったときに、「自動確定」が表示される。
【００６５】
「確定［修正済み］」は、使用者が、検査結果の詳細な表示の確認の結果、再検査が不要だと判断したことを示す情報を入力した検体について表示される。
【００６６】
「要確認」は、使用者に、検査結果の簡易な表示において、詳細な表示の確認を促す。たとえば、有形成分分析の結果に対して、少なくとも１つの有形成分についてステップＳ６０で第１警告がセットされたときに、「要確認」が表示される。「要確認」は、第１警告としてセットされたメッセージとともに表示され得る。
【００６７】
より具体的には、図９の画面９００において、行９０２は、検体ＩＤ「０００４」に関連付けられている。検体ＩＤ「０００４」について、図８のステップＳ６０で、第１警告として「上皮細胞チェック」がセットされると、画面９００では、検体ＩＤ「０００４」について、「要確認」とともに「上皮細胞チェック」のメッセージ（第１警告の一例）が表示される。
【００６８】
画面９００において、各検体ＩＤに対応する行の表示は、それぞれの検体ＩＤが対応する検体について、有形成分分析において利用された画像のリンクを含む。ＣＰＵ２１１は、たとえば、各検体ＩＤの画像を特定する情報を、各検体ＩＤの表示用情報に含める。
【００６９】
当該リンクは、ステップＳ９０の制御に利用される。つまり、情報処理装置４０では、モニタ４１５に対して、ある検体ＩＤに対応する行（たとえば、行９０２）をクリックすると、ＣＰＵ４１１は、当該検体ＩＤの画像を特定する情報を利用して、分析装置２０に対して、検体の画像を要求する。分析装置２０では、当該画像の要求は、ステップＳ９０（図８）において検出される。当該要求において分析装置２０から検体の画像を受信すると、情報処理装置４０では、検体の検査結果の詳細な画面が表示される。図１０は、検体の有形成分分析の結果の詳細な表示画面の一例を示す図である。
【００７０】
図１０の画面９１０は、画像９１１を含む。画面９１０は、図９の画面９００において、検体ＩＤ「０００４」に関連付けられた行９０２がクリックされたときの表示の一例である。画像９１１は、検体ＩＤ「０００４」の検体について撮影された画像である。
【００７１】
画面９１０は、さらに、１種類以上の有形成分の詳細な分析結果のデータを表示する表示欄９１９を含む。
【００７２】
画面９１０は、さらに、第２警告（図７参照）を表示する表示欄９２０を含む。
使用者は、たとえば、表示欄９２０に表示されたメッセージ（第２警告）に基づいて、画像９１１を確認する。使用者は、たとえば、表示欄９２０に表示されたメッセージに基づいて、画像９１１と表示欄９１９内のデータとを対比することにより、表示欄９１９に表示されたデータの信頼性を評価してもよい。
【００７３】
画面９１０を視認した使用者は、表示欄９２０に表示された内容に従って検体の画像を確認し、たとえば、当該検体の再検査の要否を特定する情報を入力する。当該情報が入力されると、ＣＰＵ４１１は、入力された情報を分析装置２０へ送信する。分析装置２０では、使用者から入力された情報に応じて、各検体ＩＤの検査の進行状況のデータを更新する。進行状況のデータが更新されると、ＣＰＵ２１１は、検査結果を簡易的に表示する画面の表示内容を更新する情報を、情報処理装置４０へ送信する。これに応じて、情報処理装置４０では、図９を参照して説明されたような、検査結果の簡易的な表示における各検体の検査の進行状況の表示内容を更新する。
【００７４】
以上説明された第１の実施の形態では、分析装置２０は、検体の有形成分分析を実行し、当該分析の結果において一部の有形成分についての結果が異常値を示した場合、使用者に、有形成分分析用の画像の確認を促す。当該画像の確認の結果、使用者は、検体の再検査の要否を決定することができる。
【００７５】
なお、画面９００における各検体ＩＤに対応する行の表示は、それぞれの検体ＩＤが対応する検体の有形成分分析で利用された画像のリンクの代わりに、当該分析に利用される画像のうち第１類項目および／または第２類項目を含むと判断された画像のみのリンクを含んでいてもよい。
【００７６】
分析装置２０のＣＰＵ２１１は、有形成分分析において、各検体について撮影された各画像と、当該画像に含まれると判断した有形成分の種類とを関連付ける情報を生成する。ＣＰＵ２１１は、このように生成された情報を用いて、表示用情報を生成する。より具体的には、ＣＰＵ２１１は、ステップＳ６０において表示用情報に第１警告をセットするときに、処理対象の検体について撮影された２以上の画像のうち、第１類項目および／または第２類項目の有形成分に関連付けられた画像を特定する情報を、表示用情報に含める。
【００７７】
画面９００の各検体ＩＤに対応する行の表示が、第１類項目および／または第２類項目を含むと判断された画像のみのリンクを含む場合、各行が選択されると、図１０の画面の代わりに、第１類項目および／または第２類項目を含むと判断された画像のみを表示する画面が表示される。
【００７８】
また、図１０の例では、１種類の有形成分についての第１警告が表示されたが、１つの検体について複数の第１警告が表示される場合もあり得る。同様に、１つの検体について複数の第２警告が表示される場合もあり得る。
【００７９】
［第２の実施の形態］
＜１．概要＞
図１１および図１２は、第２の実施の形態の分析システムにおける有形成分分析装置の機能を概略的に説明するための図である。第２の実施の形態の分析装置２０は、図１〜図４を参照して説明された第１の実施の形態の有形成分分析装置の機能に加えて、図１１および図１２を参照して説明される機能を有する。
【００８０】
図１１に示された機能は、尿検体の画像を撮影し、当該画像に基づいて尿検体の有形成分分析を実行し、特定の成分が検出された場合、他の分析装置から取得した当該検体の分析結果において検出された成分に関連付けられた項目の結果が所定の条件を満たすことを条件として、分析装置の使用者にアクションを促すための処理を実行することである。
【００８１】
たとえば、図１２に示されるように、尿検体の有形成分分析の結果、検体から赤血球が検出された場合、定性分析の「尿潜血」の結果が「−」であるという条件が満たされれば、分析装置の使用者に、検体の画像を確認することによって他の成分を赤血球であると誤認した可能性の確認を促す。
【００８２】
＜２．分析システムの構成＞
図１３は、第２の実施の形態の分析システムの全体構成を示す図である。第２の実施の形態の分析システム１は、画像を用いて有形成分を分析する分析装置２０に加えて、検体の定性分析を実行する分析装置１０を備える。
【００８３】
より具体的には、図１３の分析システム１は、分析装置１０と、分析装置２０と、情報処理装置４０と、搬送装置５０とを含む。分析装置１０は、検体の定性分析を実行する。分析装置２０は、検体の画像を用いて、当該検体の有形成分分析を実行する。情報処理装置４０は、分析装置２０から出力される画像を表示し、使用者からの情報の入力を受け付ける。搬送装置５０は、分析装置１０から分析装置２０へ検体を搬送する。
【００８４】
搬送装置５０は、ラック７（図５参照）を搬送するための溝５００を含む。分析装置１０は、各検体に付されたバーコードを読み取るためのバーコードリーダ１２４を備える。
【００８５】
＜３．ハードウェア構成＞
図１４は、第２の実施の形態の分析システム１のハードウェア構成を説明するための図である。
【００８６】
図１４に示さるように、第２の実施の形態の分析システム１は、図４に示された第１の実施の形態のハードウェア構成と比較して、さらに、分析装置１０および搬送装置５０を含む。
【００８７】
分析装置１０は、制御部１１０と、通信部１２１と、第１の検出部１２２と、第２の検出部１２３と、バーコードリーダ１２４とを含む。制御部１１０は、ＣＰＵ１１１と記憶部１１２とを有する。ＣＰＵ１１１は、記憶部１１２に記憶されているコンピュータプログラムを実行すると共に、分析装置１０の各部を制御する。記憶部１１２は、ＲＯＭ、ＲＡＭ、ハードディスク等の記憶装置を含む。
【００８８】
通信部１２１は、制御部１１０からのデータを他の機器に送信し、他の機器からの情報を制御部１１０に入力する。通信部１２１は、たとえばネットワークインタフェースカードによって実現される。
【００８９】
第１の検出部１２２は、検体に各測定項目（潜血濃度、蛋白濃度、白血球濃度（白血球エステラーゼ反応）、亜硝酸塩濃度、及びブドウ糖濃度）のそれぞれに対応した試験紙を浸し、夫々の試験紙の変色の度合いから各測定項目について測定する。第１の検出部１２２は、制御部１１０のＣＰＵ１１１からの指示に応じて、測定を開始する。第１の検出部１２２は、潜血濃度、蛋白濃度、白血球濃度、亜硝酸塩濃度、及びブドウ糖濃度を、たとえば、それぞれの試験紙の変色度合いを（−）、（±）、（＋）、（２＋）、（３＋）、…、（７＋）の９段階に自動的に分類し、各項目の検査結果として制御部１１０へ出力する。
【００９０】
第２の検出部１２３は、検体の屈折率を検出し、当該屈折率から検体の比重を測定する。第２の検出部１２３は、制御部１１０のＣＰＵ１１１からの指示に応じて、測定を開始する。第２の検出部１２３は、検出結果である比重を、制御部１１０へ出力する。
【００９１】
バーコードリーダ１２４は、容器４に付されたバーコードを読み、読み出した情報を制御部２１０へ出力する。
【００９２】
搬送装置５０は、制御部５１０と通信部５２０とを含む。制御部５１０は、ＣＰＵ５１１と、記憶部５１２と、駆動部５１３と、センサ５１４とを含む。
【００９３】
駆動部５１３は、ラック７を搬送するために回転するモータを駆動する。
ＣＰＵ５１１は、駆動部５１３の動作を制御する。
【００９４】
記憶部５１２は、ＣＰＵ５１１によって実行されるプログラム、および、当該プログラムの実行に利用されるデータを格納する。
【００９５】
センサ５１４は、溝５００内の物体の有無を検出する。センサ５１４は、検出結果をＣＰＵ５１１へ出力する。センサ５１４から入力される検出結果に基づいて、ＣＰＵ５１１は、たとえば、溝５００内のどこにラック７が位置するかを特定する。
【００９６】
ＣＰＵ２１１は、搬送装置５０を制御することにより、分析装置１０における定性分析の対象となった検体を、分析装置２０へ搬送する。
【００９７】
図１４に示された例では、分析装置１０、分析装置２０、および、情報処理装置４０は、互いに通信可能である。搬送装置５０は、情報処理装置４０と通信可能である。当該通信の態様は、単なる一例である。分析装置２０は、情報処理装置４０を介してのみ、分析装置１０と通信してもよい。装置間の通信は、有線であってもよいし、無線であってもよい。
【００９８】
＜４．判断基準と出力される情報＞
図１５は、第２の実施の形態の分析装置２０において利用される、判断基準と出力される情報の一例を模式的に示す図である。
【００９９】
図１５に示された例では、図７に示された例において含まれたＩＤ＝１〜４の群に加えて、ＩＤ＝５，６の群を含む。
【０１００】
ＩＤ＝５の群では、第１類項目が「赤血球」であり、第１類項目用条件が「１個／視野以上」であり、第２類項目が「尿潜血反応」であり、第２類項目用条件が「（−）」であり、第１警告が「有形成分チェック」であり、第２警告が「有形成分分析では、…を確認してください。」である。「尿潜血反応」は、定性分析の検査項目である。ＩＤ＝５の群によれば、有形成分分析において、赤血球が検出された場合であって、定性分析において尿潜血反応が陰性である場合には、検体における有形成分（特に、赤血球）の存在の確認を促すメッセージが表示される。
【０１０１】
ＩＤ＝６の群では、第１類項目が「円柱」であり、第１類項目用条件が「１個／視野以上」であり、第２類項目が「尿たんぱく」であり、第２類項目用条件が「（±）以下」であり、第１警告が「有形成分チェック」であり、第２警告が「有形成分分析では、…確認してください。」である。「尿たんぱく」は、定性分析の検査項目である。ＩＤ＝６の群によれば、有形成分分析において、円柱が検出された場合であって、定性分析において尿たんぱくの検出濃度が（±）として規定される程度以下のものである場合には、検体における有形成分（特に、円柱）の存在の確認を促すメッセージが表示される。
【０１０２】
＜５．処理の流れ＞
図１６は、第２の実施の形態の分析装置２０において、有形成分分析において検出された有形成分に関する情報を出力するために実行される処理のフローチャートである。図１６に示された処理は、図８に示された処理と比較して、ステップＳ２２の制御をさらに含む。ＣＰＵ２１１は、ステップＳ２０で有形成分分析の結果を生成した後、ステップＳ２２へ制御を進める。
【０１０３】
ステップＳ２２で、ＣＰＵ２１１は、処理対象の検体についての定性分析の結果を取得する。第２の実施の形態の分析システム１では、たとえば、分析装置１０は、各検体の定性分析を実行すると、当該分析の結果を分析装置２０へ送信する。分析装置２０では、各検体の定性分析の結果が、各検体のＩＤと関連付けられて、記憶部２１２に格納される。ステップＳ２２で、ＣＰＵ２１１は、たとえば、処理対象の検体のＩＤに関連付けられた検体の定性分析の結果を読み出す。その後、制御はステップＳ３０へ進む。
【０１０４】
ステップＳ２２における定性分析の結果の取得は、ステップＳ２０における有形成分分析の結果の生成よりも前に実行されてもよい。
【０１０５】
以上説明された第２の実施の形態では、有形成分分析装置は、検体においてある有形成分の検出結果が異常値を示した場合、当該有形成分に関連付けられた定性分析の分析結果が所定の条件を満たしたことを条件として、異常値を示した有形成分について、有形成分分析用の画像の確認を促す。当該画像の確認の結果、使用者は、検体の再検査の要否を決定することができる。
【０１０６】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１０７】
１  分析システム、４  容器、７  ラック、１０，２０  分析装置、２０Ａ  本体、２０Ｂ  搬送部、４０  情報処理装置、５０  搬送装置、１１１，２１１，４１１  ＣＰＵ。
【図１】
0006696172.tif 000002
【図２】
0006696172.tif 000003
【図３】
0006696172.tif 000004
【図４】
0006696172.tif 000005
【図５】
0006696172.tif 000006
【図６】
0006696172.tif 000007
【図７】
0006696172.tif 000008
【図８】
0006696172.tif 000009
【図９】
0006696172.tif 000010
【図１０】
0006696172.tif 000011
【図１１】
0006696172.tif 000012
【図１２】
0006696172.tif 000013
【図１３】
0006696172.tif 000014
【図１４】
0006696172.tif 000015
【図１５】
0006696172.tif 000016
【図１６】
0006696172.tif 000017